(57)【特許請求の範囲】
【請求項１】
複数の部品を梱包する梱包箱であって、
設定手順が、設定手順毎に異なる色彩、模様、光沢又は触感で区別されるマニュアルと、
前記複数の部品を前記梱包箱の深さ方向に収容する入れ子状の多段の凹部を有する部品多段収容手段と、を備え、
前記部品の収容箇所周辺が、前記部品を使用する前記設定手順に対応した色彩、模様、光沢又は触感を有し、
前記多段の凹部の上段には、前記設定手順のうち１の手順で使用する第一の部品の収容箇所及び当該第一の部品の収容箇所の周辺に当該１の手順に対応した色彩、模様、光沢又は触感を有する第一の部位を有し、
前記多段の凹部の下段には、当該１の手順に対応した第二の部品の収容箇所及び当該第二の部品の収容箇所の周辺に当該１の手順に対応した色彩、模様、光沢又は触感を有する第二の部位と、１の手順の次の手順で使用する第三の部品の収容箇所及び当該第三の部品の収容箇所の周辺に当該１の手順の次の手順に対応した色彩、模様、光沢又は触感を有する第三の部位と、を有し、
前記第一の部品が前記第一の部品の収容箇所に収容され、前記第二の部品が前記第二の部品の収容箇所に収容され、前記第三の部品が前記第三の部品の収容箇所に収容された状態においては、前記第二の部品、前記第二の部位、前記第三の部品及び前記第三の部位が前記第一の部品の奥に隠れており、
前記第一の部品を取り出すと、前記第二の部品、前記第二の部位、前記第三の部品及び前記第三の部位が現れる
ことを特徴とする梱包箱。
【発明の詳細な説明】
【技術分野】
【０００１】
本発明は、複数の部品を梱包する梱包箱に関するものである。
【背景技術】
【０００２】
ユーザに複数の部品をダンボール箱などに梱包して送付し、ユーザ自身に複数の部品を組み立てさせたり、部品の配線を行わせたりする場合がある。このような場合、ユーザはダンボール箱から部品類を取り出し、マニュアルを参考にして、マニュアルに指定された手順で組み立てたり、配線を行ったりする必要がある。
【０００３】
このため、ユーザが手順を間違えないように、マニュアル提供者はマニュアルの配色や構成に工夫をしている。これまで、ユーザが手順を間違えないように、マニュアルではフォント、イラスト、写真等のビジュアル表現がどのように用いられているかを調査、類型化された例がある（例えば、非特許文献１参照。）。
【非特許文献１】「マニュアルにおける複合的ビジュアル手法」木原萌美、テクニカルコミュニケーションシンポジウム２００６論文集、ＰＰ．１５−１９
【発明の開示】
【発明が解決しようとする課題】
【０００４】
しかし、複数の部品が１つの箱に同梱されている場合、マニュアルに記載されている部品の特定を間違え、指定の手順で部品を組み立てられない場合がある。例えば、パソコンをインターネットに接続するための通信機器類の入っている箱には、通信機器本体の他に、通信機器本体と外部機器とを接続するケーブル、通信機器を動作させる電源アダプタ、パソコンの設定をするためのＣＤ、パソコンと通信機器本体とを接続する無線カード等多くの部品が同梱されている。
【０００５】
パソコンをインターネットに接続するためには、まず通信機器本体を取り出し、通信機器本体と外部機器とを接続し、電源アダプタを通信機器に接続し、電源を投入し、ＣＤをパソコンに挿入する。最後に、無線カードを取り出し、パソコンに無線カードを取り付ける。このような手順は、順番を守らないと、パソコンを正しくインターネットに接続することが出来ない。
【０００６】
しかし、マニュアルを参照することなく、部品を先に取り出し、自己の判断した手順で設定を開始してしまうユーザが多い。また、マニュアルに従って設定するユーザであっても、必ずしも指定する手順に従って設定するとは限らない。このような場合に、パソコンを正しくインターネットに接続することが出来なくなる。例えば、手順を守らずにＣＤを先に挿入してしまうと、パソコンをインターネットに接続することができなくなってしまうという問題がある。このように、マニュアルをいくら丁寧に記載しても、複数の部品が１つの箱に同梱されている場合は、ユーザに手順を間違えることなく実行させることは困難である。
【０００７】
そこで、複数の部品が１つの箱に梱包されている場合にも、ユーザが部品の設定手順を直感的に認識することができるような梱包箱を提供することを目的とする。
【課題を解決するための手段】
【０００８】
上記目的を達成するために、本発明に係る梱包箱は、部品の収容を設定手順に対応させた色彩等で区別することを特徴とする。色彩等で区別することにより、設定手順を直感的に認識することができる。
【０００９】
具体的には、本発明は、複数の部品を梱包する梱包箱であって、設定手順が、設定手順毎に異なる色彩、模様、光沢又は触感で区別されるマニュアルと、前記複数の部品を前記梱包箱の深さ方向に収容する入れ子状の多段の凹部を有する部品多段収容手段と、を備え、前記部品の収容箇所周辺が、前記部品を使用する前記設定手順に対応した色彩、模様、光沢又は触感を有し、前記多段の凹部の上段には、前記設定手順のうち１の手順で使用する第一の部品の収容箇所及び当該第一の部品の収容箇所の周辺に当該１の手順に対応した色彩、模様、光沢又は触感を有する第一の部位を有し、前記多段の凹部の下段には、当該１の手順に対応した第二の部品の収容箇所及び当該第二の部品の収容箇所の周辺に当該１の手順に対応した色彩、模様、光沢又は触感を有する第二の部位と、１の手順の次の手順で使用する第三の部品の収容箇所及び当該第三の部品の収容箇所の周辺に当該１の手順の次の手順に対応した色彩、模様、光沢又は触感を有する第三の部位と、を有し、前記第一の部品が前記第一の部品の収容箇所に収容され、前記第二の部品が前記第二の部品の収容箇所に収容され、前記第三の部品が前記第三の部品の収容箇所に収容された状態においては、前記第二の部品、前記第二の部位、前記第三の部品及び前記第三の部位が前記第一の部品の奥に隠れており、前記第一の部品を取り出すと、前記第二の部品、前記第二の部位、前記第三の部品及び前記第三の部位が現れることを特徴とする梱包箱である。
【発明の効果】
【００２１】
本発明によれば、複数の部品が１つの箱に梱包されている場合にも、ユーザが部品の設定手順を直感的に認識することができるような梱包箱を提供することができる。
【発明を実施するための最良の形態】
【００２２】
添付の図面を参照して本発明の実施形態を説明する。なお、以下に説明する実施形態は本発明の構成の例であり、本発明は、以下の実施形態に制限されるものではない。
【００２３】
本実施形態は、設定手順が色彩、模様、光沢又は触感で区別される図１に示すマニュアルを備え、部品の収容箇所周辺が、部品を使用する設定手順に対応した色彩、模様、光沢又は触感を有する梱包箱の一例である。部品が同じ面上に複数収容され、いずれかの部品を取り出すと、さらにその奥に同じステップで使用する部品が収容されている例もある。このような梱包箱の斜視図を図２に、複数の部品を収容し、設定手順が色彩、模様、光沢又は触感で区別されるマニュアルを備えた梱包箱の断面図を図３に示す。
【００２４】
図２及び図３において、梱包箱１８は、部品Ａ、部品Ｂ及び部品Ｃを梱包箱１８の深さ方向に順に収容する入れ子状の多段の凹部を有する部品多段収容手段を中に備え、設定手順が色彩、模様、光沢又は触感で区別されるマニュアル２３を梱包箱の蓋の一部として備えている。
【００２５】
部品多段収容手段の材料としては、紙、木、プラスチック、金属、ビニール、発泡スチロール、ウレタン、ゴム、気泡緩衝材、陶磁器、ガラス、布等が例示できる。部品多段収容手段が有する入れ子状の多段の凹部とは、凹部の中にさらに凹部を有するものをいう。この凹部は、１つの部品を収容するものでも、複数の部品を収容するものでもよいし、設定手順に対応して１つの手順で使用等する複数の部品を収容するものでもよい。
【００２６】
設定手順には、部品の組み立て、接続、使用や付け替え、ソフトウェアのインストール、装置の切換え等の装置の動作環境を整える手順、料理に使用する具材の調理手順、調剤に使用する化学薬品、医薬品の調合手順が例示できる。以下の実施形態でも同様である。
【００２７】
梱包箱の材料としては、紙、木、プラスチック、金属、ビニール、発泡スチロール、ウレタン、ゴム、気泡緩衝材、陶磁器、ガラス、布等が例示できる。以下の実施形態でも同様である。
【００２８】
マニュアル２３には、ステップ１からステップ３までの設定手順が記載されている。マニュアル２３に記載されている設定手順は、色彩、模様、光沢又は触感で区別され、部品多段収容手段の面はマニュアル２３に記載されている設定手順に対応した色彩、模様、光沢又は触感を有する部位が見えるようになっている。
【００２９】
模様は、線描きの図形ばかりでなく、物理的に面に入れられた彫りでもよいし、切抜きでもよい。光沢には、金属色のような反射の質ばかりでなく、木質等の質感も含む。触感には、例えば、ふわふわの素材やつるつるの素材を用いることによって区別できるようにしてもよい。以下の実施形態でも同様である。
【００３１】
マニュアルの形態としては１枚紙や製本されたものばかりでなく、蓋の表面・裏面、収容箇所周辺への記載も含まれる。梱包箱の底面や側面にマニュアルが記載されていてもよい。また、梱包箱に収容される部品の組み立て、配線の手順に対応する色彩、模様、光沢又感触に対応付けられた部品の内容が記載されており、各部品が揃っているかだけでなく、設定手順のステップ数、設定手順毎に必要な部品を把握できるようになっていてもよい。以下の実施形態でも同様である。
【００３７】
図２、図３において、マニュアル２３を取り出すと、設定手順のステップ１で使用する部品Ａとマニュアル２３に記載されているステップ１に対応した色彩、模様、光沢又は触感を有する面が見える。部品平面収容手段の凹部から部品Ａを取り出しても、部品Ｂの収容箇所周辺を囲む部品平面収容手段の面はステップ１に対応した色彩、模様、光沢又は触感を有するため、部品Ｂもステップ１で使用することが直感的に認識できる。部品平面収容手段の凹部から部品Ｂを取り出すと、部品平面収容手段の凹部に収容されているステップ２の設定手順で使用する部品Ｃと共にマニュアル２３に記載されているステップ２に対応した色彩、模様、光沢又は触感を有する部品平面収容手段の面も見える。部品平面収容手段の凹部から部品Ｃを取り出すと、部品平面収容手段の凹部に収容されているステップ３の設定手順で使用する部品Ｄ及び部品Ｅと共にマニュアル２３に記載されているステップ３に対応した色彩、模様、光沢又は触感を有する部品平面収容手段の面も見える。
【００３８】
このように、複数の部品が１つの梱包箱に収容されている場合にも、部品の収容箇所周辺が、その部品を使用する設定手順に対応した色彩、模様、光沢又は触感を有するため、ユーザが部品の設定手順を直感的に認識することの可能な梱包箱を提供することができる。
【産業上の利用可能性】
【００６２】
本実施形態に係る梱包箱は、組み立て、接続、使用、付け替え、ソフトウェアのインストール、装置の切換え等の装置の動作環境を整える部品の梱包、料理に使用する具材の梱包、調剤に使用する化学薬品、医薬品の梱包にも適用することができる。
【図面の簡単な説明】
【００６３】
【図１】マニュアルの一例である。
【図２】梱包箱の斜視図である。
【図３】部品を梱包して、マニュアルを同梱した梱包箱の断面図である。
【符号の説明】
【００６４】
１８  梱包箱
２３  マニュアル
【図１】
0004677436.tif 000002
【図２】
0004677436.tif 000003
【図３】
0004677436.tif 000004